(57)【要約】【技術課題】ガス栓において、ガス配管の締め過ぎや熱収縮でガス栓本体に歪みが発生しても、ガス漏れが発生したり、栓体が固着したり、ハンドルの回転がスムーズに行われなくなったりするのを防止する。【解決手段】ガス栓本体１の内筒組込穴５と内筒８間に液状ガスケット１２の層を形成し、栓体１６はこの内筒８内に組み付ける。このようにするとガス栓本体１側の歪みを液状ガスケット１２が吸収するため、内筒８と栓体１６の摺動面には何等の影響が出ず、よってガス漏れが発生したり、栓体１６が固着したり、ハンドルの回転がスムーズでなくなったりしない。【選択図】        図  ２
2004346969.tif 000002
【特許請求の範囲】
【請求項１】
ガス栓本体内のガス流路内に栓体を組み込み、この組み込まれた栓体をハンドルで回転することにより前記ガス流路を開閉する構成のガス栓において、前記ガス栓本体に形成した栓体組込穴内にガス栓本体側のガス流路に合わせた開口部を有する内筒を組み込むと共に、この内筒とガス栓本体の栓体組込穴間に歪み吸収部材を介装し、栓体は前記内筒内に組み付けた構成から成ることを特徴とするガス栓。
【請求項２】
請求項１に記載の歪み吸収部材は、例えば液状ガスケットから成ることを特徴とするガス栓。
【請求項３】
請求項１に記載の歪み吸収部材は、例えば熱膨張性部材から成ることを特徴とするガス栓。
【発明の詳細な説明】
【０００１】
【発明の属する技術分野】
本発明は、ガス栓をガス配管に取り付ける際の締め過ぎや熱収縮によりガス栓本体の摺動面に歪みが発生し、これが原因となってガス漏れが発生したり、栓体が固着したり、ハンドルの開閉がスムーズにできなくなったりするのを防止するように工夫したガス栓に関し、更に詳しくは、ガス栓にガス配管を接続する時の締め過ぎによるガス栓本体の摺動面に発生する歪み、あるいは調理場等の大型ガスバーナの近傍に取り付けられていて、営業時間帯には比較的高熱に晒され、営業が終り、調理場の清掃時に水道水等がかけられたりして急激に冷却されることにより発生するガス栓本体の熱収縮にともなう摺動面の歪みを吸収してガス漏れの発生を防ぎ、且つ栓体が摺動面に固着したり、ハンドルの回転がスムーズに行われなくなったりするのを防止するように工夫したガス栓に関する。
【０００２】
【従来の技術】
ガス栓の場合、その本体にはガス配管を接続するための接続口が設けられていて、この接続口には雌ねじが設けられており、ガス配管側の雄ねじをこの雌ねじ内にねじ込んでガス栓を取り付ける方式となっているが、このガス栓の取り付けに際してしばしばねじの締め過ぎと云う問題が発生する。
このような締め過ぎの状態を図６に示す。この図６において、５０はガス栓本体、５１はガス流路、５２はガス配管接続口、５３は雌ねじ、５４はガス栓本体５０に形成した摺動面（栓体組込穴）、５５は開閉孔５６を形成した栓体、５７はガス配管、５８は雄ねじ、５９はガス配管５７の雄ねじ５８をガス栓本体５０側の雌ねじ５３に強くねじ込み過ぎてガス栓本体５０の摺動面５４に発生した歪みによる隙間であって、この隙間５９がガス漏れの原因となる。また、摺動面５４及び栓体５５はともに真円に加工されていることから、歪みが摺動面５４に発生すると、この摺動面５４は真円ではなくなり、栓体５５が摺動面５４に固着したり、ハンドルのスムーズな回転を阻害するようになる。
【０００３】
また、ガス栓の場合、その取り付け位置は千差万別であって、非常に温度変化の大きい所に取り付けられることがある。例えば、中華料理店の厨房等の場合、大型の火力の強いガスバーナが用いられているため、営業時間帯においてはガス栓の温度は通常３５℃以上となっている場合がある。そして、この状態で営業が終り、清掃になると、通常は水道水を用いて厨房の床を洗い流すことが行われており、この時にガス栓にも水がかかり、急冷されることがある。このような状態は、毎日繰り返し続くことが多いため、ここではガス栓本体の熱収縮により歪みが上記した締め過ぎの場合と同じようにガス栓本体５０の摺動面５４に発生し、この場合もガス漏れや栓体の固着、あるいはハンドルのスムーズな回転が阻害されたりする。
【０００４】
【発明が解決しようとする課題】
本発明は斯る点に鑑みて提案されるものであって、その目的は、ガス配管の締め過ぎや熱収縮の作用でガス栓本体に歪みが発生しても、ガス漏れや栓体の固着あるいはハンドルの回転操作に支障を来さないガス栓を提供することである。
【０００５】
【課題を解決するための手段】
上記目的を達成するため、請求項１に記載の発明においては、ガス栓において、ガス栓本体内のガス流路内に栓体を組み込み、この組み込まれた栓体をハンドルで回転することにより前記ガス流路を開閉する構成のガス栓において、前記ガス栓本体に形成した栓体組込穴内にガス栓本体側のガス流路に合わせた開口部を有する内筒を組み込むと共に、この内筒とガス栓本体の栓体組込穴間に歪み吸収部材を介装し、栓体は前記内筒内に組み付けた構成から成ることを特徴とするものである。
【０００６】
更に、請求項２に記載の発明においては、請求項１に記載の発明において、歪み吸収部材は、例えば液状ガスケットから成ることを特徴とするものである。
【０００７】
更に、請求項３に記載の発明においては、請求項１に記載の歪み吸収部材は、例えば熱膨張性部材から成ることを特徴とするものである。
【０００８】
【作用】
ガス配管の締め過ぎや熱収縮等の作用でガス栓本体に歪みが発生した場合、この歪みは、液状ガスケット等の歪み吸収部材で吸収され、内筒側には影響を及ぼさない。この結果、栓体は、内筒内でスムーズに回転するばかりでなく、歪み吸収部材の歪み吸収作用により、ガス栓本体と内筒間には隙間が発生せず、ガス漏れも発生しない。
【０００９】
【実施例】
図１〜図５に基づいて本発明の実施例を詳細に説明する。図１は本発明に係るガス栓を分解した状態の説明図、図２は組み立てを終了したガス栓の断面図であって、ハンドル（栓体）全開の状態、図３はＡ−Ａ´線断面図、図４Ｂ−Ｂ´線断面図であって、（Ａ）はガス配管を接続し、栓体を全開にした状態の説明図、（Ｂ）は栓体を閉じた状態の説明図、図５はガス栓本体に歪みが発生し、歪み吸収部材（液状ガスケット）がこの歪みを吸収している状態の説明図である。
【００１０】
以上に説明した各図において、符号の１はガス栓本体であって、このガス栓本体１は、水平方向にガス流路２を形成すると共にこのガス流路２の出入口に夫々雌ねじ４付のガス配管接続口３を形成し、ガス流路２に対して直角方向からテーパー形状の栓体組込穴５を形成し、この組込穴５の上口６にハンドル取付部７を形成した構成である。
８は金属製の内筒であって、この内筒８には、前記ガス栓本体１内のガス流路２に対向する開口部９が形成されていて、前記ガス栓本体１内の組込穴５内に組み込まれ、固定縁１０のねじ孔１０ａ及び止めねじ１１を利用してガス栓本体１の組込穴５の上口６のところに固定される。
【００１１】
１２は歪み吸収部材の一例としての液状ガスケットであって、この液状ガスケット１２は、内筒８の外表面に塗布することにより、又は内筒８と組込穴５間に充填することにより形成される。
１６は栓体、１７は栓体１６において、ガス流路２を開閉することができるように形成されたガスの開閉孔、１８はハンドルとの係合突起、１９はコイルスプリング、２０はハンドルであって、このハンドル２０には、その下面に前記栓体１６の係合突起１８が係合する係合溝２１が形成されていると共に、ガス栓本体１のハンドル取付部７に対して係合する係合鍔２２が形成された構成である。
【００１２】
以上に説明したガス栓の組み立て例を説明すると、図２、図３に示すように、ガス栓本体１の内筒組込穴５内に液状ガスケット１２を塗布した内筒８を組み込み、固定鍔１０のところのねじ穴１０ａ内に止めねじ１１を挿入し、この止めねじ１１をガス栓本体１の上口に設けたねじ孔１ａにねじ込むことにより内筒８を組込穴５内に固定する。なお、液状ガスケット１２は、内筒８を組み込んだ後で、内筒組込穴５との隙間に充填しても良い。また、本実施例では、歪み吸収部材の一例として液状ガスケット１２を用いているが、それ以外に例えば熱膨張性部材等をこの隙間に充填しても良く、本発明において歪み吸収部材はある程度の弾力性と耐久性を有する限り、その材質は限定されない。
次に、内筒８内に栓体１６を組み込み、この栓体１６の上面中央にコイルスプリング１９を載せ、これを圧縮するようにしてハンドル２０の係合鍔２２の部分をガス栓本体１の上口６内に挿入し、ハンドル取付部７内に係合鍔２２を位置させ、同時に栓体１６の係合突起１８をハンドル２０の係合溝２１に係合させたのち、ハンドルを１８０°回転させてストッパービス（図示せず）をねじ込んで組み立てを終る。このようにして組み立てられたガス栓は、ハンドル２０を左又は右に９０°回転したときに栓体１６は全閉となる。
【００１３】
以上に説明したガス栓をガス配管に取り付けた状態を図４（Ａ）（Ｂ）に示す。この図４（Ａ）（Ｂ）において、２３はガス配管、２４はガス配管２３側の雄ねじであって、（Ａ）は栓体１６が全開、（Ｂ）は全閉の状態である。図５はガス配管２３の雄ねじ２４をガス栓本体１の雌ねじ４に締め過ぎたことにより、ガス栓本体１側の組込穴５に歪みが発生し、この歪みを液状ガスケット１２が吸収した状態の説明図である。
このように、液状ガスケット１２により組込穴５の歪みを吸収することにより、ガス栓本体１に発生した歪みの影響を内筒８は受けない。この結果、内筒８と栓体１０間の摺動面にも影響が出ず、よってガス漏れや栓体１６の固着がなくなり、ハンドルのスムーズな回転が保障される。
このような歪みの問題は、熱収縮でガス栓本体１の組込穴５に所謂熱歪みが発生した場合も同様にして解消される。
【００１４】
【発明の効果】
本発明は以上のように、ガス配管の締め過ぎや熱収縮の影響でガス栓本体側に歪みが発生しても、この歪みは歪み吸収部材がこれを吸収するため、従来のように、ガス栓本体の摺動面と栓体間に隙間が発生してガス漏れが発生したり、歪みで栓体が固着したり、ハンドルがスムーズに回転しなくなると云った問題が無くなる。
【図面の簡単な説明】
【図１】本発明に係るガス栓を分解した状態の説明図。
【図２】ガス栓本体の断面図。
【図３】Ａ−Ａ´線断面図
【図４】（Ａ）ガス栓を全開にした状態のＢ−Ｂ´線断面図。
（Ｂ）ガス栓を全閉にした状態のＢ−Ｂ´線断面図。
【図５】ガス栓本体に歪みが発生し、これを歪み吸収部材が吸収した状態の説明図。
【図６】従来のガス栓において歪みが発生した状態の説明図。
【符号の説明】
１  ガス栓本体
２  ガス流路
３  ガス配管接続口
８  内筒
１２  液状ガスケット
１６  栓体
１９  コイルスプリング
２０  ハンドル
【図１】
2004346969.tif 000003
【図２】
2004346969.tif 000004
【図３】
2004346969.tif 000005
【図４】
2004346969.tif 000006
【図５】
2004346969.tif 000007
【図６】
2004346969.tif 000008